(57)【要約】空気清浄装置が提供される。装置は、ハウジングと、ハウジングと接続されたファンとを含む。装置は、ファンと気流連通して配置されているパウチを含んでもよい。パウチは、ファンの下流に配置されてもよい。パウチは、通気性基材によって封入された固形組成物を含む。装置は、ファンと気流連通するスクリーンを含んでもよい。スクリーンは、複数の開口部、及びスクリーンの少なくとも一部分上に配置された半固形又は固形組成物を含んでもよい。固形組成物は、香料混合物及び悪臭減少材を含む。
2020508791.tif 000002
【特許請求の範囲】
【請求項１】
空気清浄装置であって、
ハウジングと、
前記ハウジングと接続されたファンと、
前記ファンと気流連通して配置されているパウチであって、前記パウチが、前記ファンの下流に配置されており、前記パウチが、通気性基材によって封入された固形組成物を含む、パウチ、又は
前記ファンと気流連通しているスクリーンであって、前記スクリーンが、複数の開口部、及び前記スクリーンの少なくとも一部分上に配置された半固形又は固形組成物を含む、スクリーンと、を備え、
前記固形組成物が、香料混合物及び悪臭減少材を含む、空気清浄装置。
【請求項２】
前記固形組成物が担体を含む、請求項１に記載の空気清浄装置。
【請求項３】
前記悪臭減少材が、臭気中和材、臭気遮断材、臭気マスキング材、感覚変性材、及びこれらの組み合わせからなる群から選択される材料を含む、請求項１又は２に記載の空気清浄装置。
【請求項４】
カバーを更に備え、前記スクリーンが、前記ハウジング内の前記パウチを封入する、請求項１〜３のいずれか一項に記載の空気清浄装置。
【請求項５】
前記固形組成物が、前記固形組成物の約０．１重量％〜約２０重量％の香料を含む、請求項１〜４のいずれか一項に記載の空気清浄装置。
【請求項６】
前記固形組成物が、前記固形組成物の約０．００５重量％〜約１０重量％の悪臭減少材を含む、請求項１〜５のいずれか一項に記載の空気清浄装置。
【請求項７】
前記通気性基材が、約１０００μｍ未満のＡＳＴＭ  Ｄ４７５１−１２による見掛けの開口径を有する繊維ウェブを含む、請求項１〜６のいずれか一項に記載の空気清浄装置。
【請求項８】
前記悪臭減少材が、１，１，２，３，３−ペンタメチル−１，２，３，５，６，７−ヘキサヒドロ−４Ｈ−インデン−４−オン；３ａ，４，５，６，７，７ａ−ヘキサヒドロ−１Ｈ−４，７−メタノインデン−６−イルアセテート；１−（（２−（ｔｅｒｔ−ブチル）シクロヘキシル）オキシ）ブタン−２−オール；２−（８−イソプロピル−６−メチルビシクロ［２．２．２］オクタ−５−エン−２−イル）−１，３−ジオキソラン；（Ｅ）−オキサシクロヘキサデカ−１３−エン−２−オン；（Ｚ）−シクロオクタ−４−エン−１−イルメチルカーボネート；７−メチルオクチルアセテート；ドデカン酸エチル；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；ドデカン−１−オール；８，８−ジメチル−３ａ，４，５，６，７，７ａ−ヘキサヒドロ−１Ｈ−４，７−メタノインデン−６−イルプロピオネート；（Ｚ）−ノナ−６−エン−１−オール；ドデカンニトリル；（Ｅ）−デカ−４−エナール；（１−メチル−２−（（１，２，２−トリメチルビシクロ［３．１．０］ヘキサン−３−イル）メチル）シクロプロピル）メタノール；（Ｅ）−１，１−ジメトキシ−３，７−ジメチルオクタ−２，６−ジエン；２，６−ジ−ｔｅｒｔ−ブチル−４−メチルフェノール；オキシジベンゼン；（Ｅ）−３，７−ジメチルオクタ−２，６−ジエン−１−イルパルミテート；３−メチル−５−フェニルペンタン−１−オール；３−（３，３−ジメチル−２，３−ジヒドロ−１Ｈ−インデン−５−イル）プロパナール；２，２，６，６，７，８，８−ヘプタメチルデカヒドロ−２Ｈ−インデノ［４，５−ｂ］フラン；（Ｒ，Ｚ）−１−（２，６，６−トリメチルシクロヘキサ−２−エン−１−イル）ペンタ−１−エン−３−オン；３−（６，６−ジメチルビシクロ［３．１．１］ヘプタ−２−エン−２−イル）−２，２−ジメチルプロパナール；（Ｅ）−３，７−ジメチルオクタ−１，３，６−トリエン；１−（５，５−ジメチルシクロヘキサ−１−エン−１−イル）ペンタ−４−エン−１−オン；（Ｅ）−シクロヘキサデカ−５−エン−１−オン；２−イソプロピル−５−メチルフェノール；及びこれらの混合物からなる群から選択され得る、請求項１、２、又は４〜７のいずれか一項に記載の空気清浄装置。
【請求項９】
前記固形組成物が、前記スクリーンを完全に囲む、請求項１〜８のいずれか一項に記載の空気清浄装置。
【請求項１０】
前記固形組成物が、前記スクリーンの前記複数の開口部の周囲に複数の開口部を形成する、請求項１〜９のいずれか一項に記載の空気清浄装置。
【請求項１１】
空気を清浄化する方法であって、
パウチを提供するステップであって、前記パウチは、通気性基材によって封入された固形組成物を含み、前記固形組成物は、香料混合物及び悪臭減少材を含む、ステップと、
前記パウチを空間内に配設するステップと、
前記香料及び悪臭減少材が、前記空気を清浄化することを可能にするステップと、を含む、方法。
【請求項１２】
前記固形組成物が、粒子の形態である、請求項１１に記載の方法。
【請求項１３】
前記悪臭減少材が、臭気中和材、臭気遮断材、臭気マスキング材、感覚変性材、及びこれらの組み合わせからなる群から選択される材料を含む、請求項１１又は１２に記載の方法。
【請求項１４】
前記悪臭減少材が、１，１，２，３，３−ペンタメチル−１，２，３，５，６，７−ヘキサヒドロ−４Ｈ−インデン−４−オン；３ａ，４，５，６，７，７ａ−ヘキサヒドロ−１Ｈ−４，７−メタノインデン−６−イルアセテート；１−（（２−（ｔｅｒｔ−ブチル）シクロヘキシル）オキシ）ブタン−２−オール；２−（８−イソプロピル−６−メチルビシクロ［２．２．２］オクタ−５−エン−２−イル）−１，３−ジオキソラン；（Ｅ）−オキサシクロヘキサデカ−１３−エン−２−オン；（Ｚ）−シクロオクタ−４−エン−１−イルメチルカーボネート；７−メチルオクチルアセテート；ドデカン酸エチル；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；ドデカン−１−オール；８，８−ジメチル−３ａ，４，５，６，７，７ａ−ヘキサヒドロ−１Ｈ−４，７−メタノインデン−６−イルプロピオネート；（Ｚ）−ノナ−６−エン−１−オール；ドデカンニトリル；（Ｅ）−デカ−４−エナール；（１−メチル−２−（（１，２，２−トリメチルビシクロ［３．１．０］ヘキサン−３−イル）メチル）シクロプロピル）メタノール；（Ｅ）−１，１−ジメトキシ−３，７−ジメチルオクタ−２，６−ジエン；２，６−ジ−ｔｅｒｔ−ブチル−４−メチルフェノール；オキシジベンゼン；（Ｅ）−３，７−ジメチルオクタ−２，６−ジエン−１−イルパルミテート；３−メチル−５−フェニルペンタン−１−オール；３−（３，３−ジメチル−２，３−ジヒドロ−１Ｈ−インデン−５−イル）プロパナール；２，２，６，６，７，８，８−ヘプタメチルデカヒドロ−２Ｈ−インデノ［４，５−ｂ］フラン；（Ｒ，Ｚ）−１−（２，６，６−トリメチルシクロヘキサ−２−エン−１−イル）ペンタ−１−エン−３−オン；３−（６，６−ジメチルビシクロ［３．１．１］ヘプタ−２−エン−２−イル）−２，２−ジメチルプロパナール；（Ｅ）−３，７−ジメチルオクタ−１，３，６−トリエン；１−（５，５−ジメチルシクロヘキサ−１−エン−１−イル）ペンタ−４−エン−１−オン；（Ｅ）−シクロヘキサデカ−５−エン−１−オン；２−イソプロピル−５−メチルフェノール；及びこれらの混合物からなる群から選択され得る、請求項１１又は１２に記載の空気清浄装置。
【発明の詳細な説明】
【技術分野】
【０００１】
本開示は、一般に空気清浄装置及び空気を清浄化する方法を対象とし、より詳細には、固形組成物及びファンを利用する空気清浄装置及び空気を清浄化する方法を対象とする。
【背景技術】
【０００２】
多くの空気清浄装置が存在する。一部の空気清浄装置は、空気清浄組成物を含むワックス用品を溶融することによって空気に清浄化を送達する。しかしながら、このような装置は欠点を有する場合がある。例えば、溶融ワックスは、装置又は近くの表面にこぼれる場合がある。更に、ワックスが溶融された後にワックスを交換することは困難であるか、又は厄介である場合がある。
【発明の概要】
【発明が解決しようとする課題】
【０００３】
結果として、固形組成物を利用する空気清浄装置を、それに関連する潜在的な欠点を克服しながら、提供することが有益であろう。
【課題を解決するための手段】
【０００４】
「組み合わせ」
Ａ．空気清浄装置であって、
ハウジングと、
ハウジングと接続されたファンと、
ファンと気流連通して配置されているパウチであって、パウチが、ファンの下流に配置されており、パウチが、通気性基材によって封入された固形組成物を含み、固形組成物が、香料混合物及び悪臭減少材を含む、パウチと、を備える、空気清浄装置。
Ｂ．固形組成物が担体を含む、段落Ａに記載の空気清浄装置。
Ｃ．悪臭減少材が、請求項３からなる群から選択される材料を含む、段落Ａ又はＢに記載の空気清浄装置。
Ｄ．悪臭減少材が、臭気中和材、臭気遮断材、臭気マスキング材、感覚変性材、及びこれらの組み合わせからなる群から選択される材料を含む、段落Ａ〜Ｃのいずれかに記載の空気清浄装置。
Ｅ．カバーを更に備え、スクリーンが、ハウジング内のパウチを封入する、段落Ａ〜Ｄのいずれかに記載の空気清浄装置。
Ｆ．固形組成物が、固形組成物の約０．１重量％〜約２０重量％の香料を含む、段落Ａ〜Ｅのいずれかに記載の空気清浄装置。
Ｇ．固形組成物が、固形組成物の約０．００５重量％〜約１０重量％の悪臭減少材を含む、段落Ａ〜Ｆのいずれかに記載の空気清浄装置。
Ｈ．通気性基材が、約１０００μｍ未満のＡＳＴＭ  Ｄ４７５１−１２による見掛けの開口径を有する繊維ウェブを含む、段落Ａ〜Ｇのいずれかに記載の空気清浄装置。
Ｉ．空気清浄装置であって、
ハウジングと、
ハウジングと接続されたファンと、
ファンと気流連通しているスクリーンであって、スクリーンが、複数の開口部、及びスクリーンの少なくとも一部分上に配置された半固形又は固形組成物を含み、固形組成物が、香料混合物及び悪臭減少材を含む、スクリーンと、を備える、空気清浄装置。
Ｊ．固形組成物が、スクリーンを完全に囲む、段落Ｉに記載の空気清浄装置。
Ｋ．固形組成物が担体を含む、段落Ｉ〜Ｊのいずれかに記載の空気清浄装置。
Ｌ．固形組成物が、スクリーンの複数の開口部の周囲に複数の開口部を形成する、段落Ｉ〜Ｋのいずれかに記載の空気清浄装置。
Ｍ．悪臭減少材が、請求項１３からなる群から選択される材料を含む、段落Ｉ〜Ｌのいずれかに記載の空気清浄装置。
Ｎ．悪臭減少材が、臭気中和材、臭気遮断材、臭気マスキング材、感覚変性材、及びこれらの組み合わせからなる群から選択される材料を含む、段落Ｉ〜Ｍのいずれかに記載の空気清浄装置。
Ｏ．カバーを更に備え、カバーが、ハウジング内のスクリーンを封入する、段落Ｉ〜Ｎのいずれかに記載の空気清浄装置。
Ｐ．固形組成物が、固形組成物の約０．１重量％〜約２０重量％の香料を含む、段落Ｉ〜Ｏのいずれかに記載の空気清浄装置。
Ｑ．固形組成物が、固形組成物の約０．００５重量％〜約１０重量％の悪臭減少材を含む、段落Ｉ〜Ｐのいずれかに記載の空気清浄装置。
Ｒ．段落Ａ〜Ｈのいずれかに記載の空気清浄装置を用いて空気を清浄化する方法であって、
空気清浄装置を提供するステップと、
パウチをハウジングに挿入するステップと、
ファンの電源を入れるステップと、を含む、方法。
Ｓ．段落Ｉ〜Ｑのいずれかに記載の空気清浄装置を用いて空気を清浄化する方法であって、
空気清浄装置を提供するステップと、
スクリーンをハウジングに挿入するステップと、
ファンの電源を入れるステップと、を含む、方法。
Ｔ．パウチを新しいパウチと交換するステップを更に含む、段落Ｒに記載の方法。
Ｕ．スクリーンを新しいスクリーンと交換するステップを更に含む、段落Ｓに記載の方法。
Ｖ．空気を清浄化する方法であって、
パウチを提供するステップであって、パウチは、通気性基材によって封入された固形組成物を含み、固形組成物は、香料混合物及び悪臭減少材を含む、ステップと、
パウチを空間内に配設するステップと、
香料及び悪臭減少材が空気を清浄化することを可能にするステップと、を含む、方法。
Ｗ．固形組成物が、粒子の形態である、段落Ｖに記載の方法。
Ｘ．悪臭減少材が、請求項２４からなる群から選択される材料を含む、段落Ｖ〜Ｗのいずれかに記載の方法。
Ｙ．悪臭減少材が、臭気中和材、臭気遮断材、臭気マスキング材、感覚変性材、及びこれらの組み合わせからなる群から選択される材料を含む、段落Ｖ〜Ｘのいずれかに記載の方法。
Ｚ．通気性基材が、約１０００μｍ未満のＡＳＴＭ  Ｄ４７５１−１２による見掛けの開口径を有する繊維ウェブを含む、段落Ｖ〜Ｙのいずれかに記載の方法。
ＡＡ．悪臭減少材が、１，１，２，３，３−ペンタメチル−１，２，３，５，６，７−ヘキサヒドロ−４Ｈ−インデン−４−オン、（Ｅ）−３，７−ジメチルオクタ−２，６−ジエン−１−イルパルミテート、（３Ｒ，３ａＲ，６Ｓ，７Ｓ，８ａＳ）−６−メトキシ−３，６，８，８−テトラメチルオクタヒドロ−１Ｈ−３ａ，７−メタノアズレン、フルオロ酢酸、１−（（２−（ｔｅｒｔ−ブチル）シクロヘキシル）オキシ）ブタン−２−オール、３−メチル−５−フェニルペンタノール、２−（８−イソプロピル−６−メチルビシクロ［２．２．２］オクト−５−エン−２−イル）−１，３−ジオキソラン、２，２，６，６，７，８，８−ヘプタメチルデカヒドロ−２Ｈ−インデノ［４，５−ｂ］フラン、３，３−ジメチル−２，３−ジヒドロ−１Ｈ−インデン−５−イルプロパナール、１，１−ジメチル−２，３−ジヒドロ−１Ｈ−インデン−５−イル）プロパナール、２，４−ジメチル−４，４ａ，５，９ｂ−テトラヒドロインデノ［１，２−ｄ］［１，３］ジオキシン、（Ｅ）−オキサシクロヘキサデカ−１３−エン−２−オン、（Ｒ，Ｚ）−１−（２，６，６−トリメチルシクロヘキス−２−エン−１−イル）ペンタ−１−エン−３−オン、３−（７，７−ジメチル−４−ビシクロ［３．１．１］ヘプト−３−エニル）−２，２−ジメチルプロパナール、（Ｚ）−シクロオクト−４−エン−１−イルメチルカーボネート、オクタヒドロ−２Ｈ−クロメン−２−オン、７−メチルオクチルアセテート、エチル（２，３，６−トリメチルシクロヘキシル）炭酸塩、ドデカン酸エチル、（１Ｒ，４Ｒ，６Ｒ，１０Ｓ）−４，１２，１２−トリメチル−９−メチレン−５−オキサトリシクロ［８．２．０．０４，６］ドデカン、４，８−ジメチル−１−（メチルエチル）−７−オキシビシクロ［４．３．０］ノナン、３ａ，４，５，６，７，７ａ−ヘキサヒドロ−１Ｈ−４，７−メタノインデン−６−イルプロピオネート、１−（５，５−ジメチルシクロヘキス−１−エン−１−イル）ペンタ−４−エン−１−オン、５−シクロヘキサデセン−１−オン、（Ｅ）−デカ−４−エナール、（１−メチル−２−（（１，２，２−トリメチルビシクロ［３．１．０］ヘキサン−３−イル）メチル）シクロプロピル）メタノール、４−（ｔｅｒｔ−ブチル）シクロヘキサン−１−オール、メチルパルミテート、２−イソプロピル−５−メチルフェノール、２，６−ジ−ｔｅｒｔ−ブチル−４−メチルフェノール、及びそれらの組み合わせからなる群から選択され得る、段落Ａ〜Ｑのいずれかに記載の空気清浄装置。
ＢＢ．悪臭減少材が、１，１，２，３，３−ペンタメチル−１，２，３，５，６，７−ヘキサヒドロ−４Ｈ−インデン−４−オン、（Ｅ）−３，７−ジメチルオクタ−２，６−ジエン−１−イルパルミテート、（３Ｒ，３ａＲ，６Ｓ，７Ｓ，８ａＳ）−６−メトキシ−３，６，８，８−テトラメチルオクタヒドロ−１Ｈ−３ａ，７−メタノアズレン、フルオロ酢酸、１−（（２−（ｔｅｒｔ−ブチル）シクロヘキシル）オキシ）ブタン−２−オール、３−メチル−５−フェニルペンタノール、２−（８−イソプロピル−６−メチルビシクロ［２．２．２］オクト−５−エン−２−イル）−１，３−ジオキソラン、２，２，６，６，７，８，８−ヘプタメチルデカヒドロ−２Ｈ−インデノ［４，５−ｂ］フラン、３，３−ジメチル−２，３−ジヒドロ−１Ｈ−インデン−５−イルプロパナール、１，１−ジメチル−２，３−ジヒドロ−１Ｈ−インデン−５−イル）プロパナール、２，４−ジメチル−４，４ａ，５，９ｂ−テトラヒドロインデノ［１，２−ｄ］［１，３］ジオキシン、（Ｅ）−オキサシクロヘキサデカ−１３−エン−２−オン、（Ｒ，Ｚ）−１−（２，６，６−トリメチルシクロヘキス−２−エン−１−イル）ペンタ−１−エン−３−オン、３−（７，７−ジメチル−４−ビシクロ［３．１．１］ヘプト−３−エニル）−２，２−ジメチルプロパナール、（Ｚ）−シクロオクト−４−エン−１−イルメチルカーボネート、オクタヒドロ−２Ｈ−クロメン−２−オン、７−メチルオクチルアセテート、エチル（２，３，６−トリメチルシクロヘキシル）炭酸塩、ドデカン酸エチル、（１Ｒ，４Ｒ，６Ｒ，１０Ｓ）−４，１２，１２−トリメチル−９−メチレン−５−オキサトリシクロ［８．２．０．０４，６］ドデカン、４，８−ジメチル−１−（メチルエチル）−７−オキシビシクロ［４．３．０］ノナン、３ａ，４，５，６，７，７ａ−ヘキサヒドロ−１Ｈ−４，７−メタノインデン−６−イルプロピオネート、１−（５，５−ジメチルシクロヘキス−１−エン−１−イル）ペンタ−４−エン−１−オン、５−シクロヘキサデセン−１−オン、（Ｅ）−デカ−４−エナール、（１−メチル−２−（（１，２，２−トリメチルビシクロ［３．１．０］ヘキサン−３−イル）メチル）シクロプロピル）メタノール、４−（ｔｅｒｔ−ブチル）シクロヘキサン−１−オール、メチルパルミテート、２−イソプロピル−５−メチルフェノール、２，６−ジ−ｔｅｒｔ−ブチル−４−メチルフェノール、及びそれらの組み合わせからなる群から選択され得る、段落Ｒ〜Ｚのいずれかに記載の方法。
【図面の簡単な説明】
【０００５】
【図１】固形用品を利用する空気清浄装置の斜視図である。
【図２】線２−２による図１の断面図である。
【図３】図２の斜視図である。
【図４】粒子のパウチを含むスリーブの平面図である。
【図５】複数の固形組成物粒子を含むパウチである。
【図６】線６−６による図５の断面図である。
【図７】スクリーンを囲む固形組成物を有するスクリーンを含む固形用品を有する空気清浄装置の写真の斜視図である。
【図８】図７の固形組成物を有するスクリーンの写真の斜視図である。
【図９】スクリーンが除去された、図７の空気清浄装置の写真の斜視図である。
【図１０】空気清浄装置用のスクリーンの写真の斜視図である。
【図１１】空気清浄装置用の容器の写真の斜視図である。
【図１２】空気清浄装置用の容器の写真の斜視図である。
【発明を実施するための形態】
【０００６】
空気清浄装置
図１〜３を参照すると、空気清浄装置１０は、固形組成物を受容するように構成されたチャンバ１３を有するハウジング１２を備えてもよい。空気清浄装置１０はまた、ハウジング１２のチャンバ１３の上流に配置されたファン１４を含む。ファン１４は、電源２１に電気的に接続可能であり得る。電源は、畜電池又は壁の電気コンセントを含んでもよい。電源２１は、空気清浄装置１０の内部又は外部にあってもよい。空気清浄装置はまた、チャンバ１３内に固形組成物を封入するカバー１７を備えてもよい。固形組成物の香料及び悪臭減少材は、香料及び悪臭減少材を空気中に分散させるために、ファンを導入して空気を清浄化することができることが判明している。
【０００７】
図４及び５を参照すると、以下でより詳細に記載されるように、空気清浄装置１０は、通気性基材１８と共に収容されている粒子５０の形態の固形組成物を含むパウチ６０を備えてもよい。パウチ６０は、ファンからの気流が、通気性基材及び粒子を通過して香料及び／又は悪臭減少材を空気中に送達することができるように構成され得る。
【０００８】
固形組成物は、剛性又は半剛性スクリーン上に配置されてもよい。固形組成物を含むスクリーンは、ファンからの気流が、スクリーン及び／又は固形組成物中の複数の開口部を通過して、香料及び／又は悪臭減少材を空気中に送達することができるように構成され得る。
【０００９】
固形組成物
固形組成物は、担体及び香料を含んでもよい。固形組成物は、担体、香料、及び悪臭制御組成物を含んでもよい。
【００１０】
担体は、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘土、水不溶性ケイ酸塩、クエン酸カルボキシメチルセルロース、脂肪酸、脂肪族アルコール、水素化獣脂のグリセリルジエステル、グリセロール、ポリエチレングリコール、及びこれらの組み合わせからなる群から選択されてよい。アルカリ金属塩は、例えば、リチウムの塩、ナトリウムの塩、及びカリウムの塩、並びにこれらの任意の組み合わせからなる群から選択されてよい。有用なアルカリ金属塩は、例えば、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。アルカリ金属塩は、フッ化ナトリウム、塩化ナトリウム、臭化ナトリウム、ヨウ化ナトリウム、硫酸ナトリウム、重硫酸ナトリウム、リン酸ナトリウム、リン酸一水素ナトリウム、リン酸二水素ナトリウム、炭酸ナトリウム、炭酸水素ナトリウム、酢酸ナトリウム、クエン酸ナトリウム、乳酸ナトリウム、酒石酸ナトリウム、ケイ酸ナトリウム、アスコルビン酸ナトリウム、フッ化カリウム、塩化カリウム、臭化カリウム、ヨウ化カリウム、硫酸カリウム、重硫酸カリウム、リン酸カリウム、リン酸一水素カリウム、リン酸二水素カリウム、炭酸カリウム、炭酸一水素カリウム、酢酸カリウム、クエン酸カリウム、乳酸カリウム、酒石酸カリウム、ケイ酸カリウム、カリウム、アスコルビン酸塩、及びこれらの組み合わせからなる群から選択されてよい。アルカリ土類金属塩は、マグネシウムの塩、カルシウムの塩など、及びこれらの組み合わせからなる群から選択されてよい。アルカリ土類金属塩は、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。アルカリ土類金属塩は、フッ化マグネシウム、塩化マグネシウム、臭化マグネシウム、ヨウ化マグネシウム、硫酸マグネシウム、リン酸マグネシウム、リン酸一水素マグネシウム、リン酸二水素マグネシウム、炭酸マグネシウム、炭酸一水素マグネシウム、酢酸マグネシウム、クエン酸マグネシウム、乳酸マグネシウム、酒石酸マグネシウム、ケイ酸マグネシウム、アスコルビン酸マグネシウム、フッ化カルシウム、塩化カルシウム、臭化カルシウム、ヨウ化カルシウム、硫酸カルシウム、リン酸カルシウム、リン酸一水素カルシウム、リン酸二水素カルシウム、炭酸カルシウム、炭酸一水素カルシウム、酢酸カルシウム、クエン酸カルシウム、乳酸カルシウム、酒石酸カルシウム、ケイ酸カルシウム、アスコルビン酸カルシウム、及びこれらの組み合わせからなる群から選択されてよい。無機アルカリ金属塩及び無機アルカリ土類金属塩などの無機塩は、炭素を含まない。有機アルカリ金属塩及び有機アルカリ土類金属塩などの有機塩は、炭素を含む。有機塩は、アルカリ金属塩又はソルビン酸のアルカリ土類金属塩（すなわち、ソルビン酸塩（asorbate））であってよい。ソルビン酸塩は、ソルビン酸ナトリウム、ソルビン酸カリウム、ソルビン酸マグネシウム、ソルビン酸カルシウム、及びこれらの組み合わせからなる群から選択されてよい。
【００１１】
担体は、水溶性無機アルカリ金属塩、水溶性有機アルカリ金属塩、水溶性無機アルカリ土類金属塩、水溶性有機アルカリ土類金属塩、水溶性炭水化物、水溶性ケイ酸塩、水溶性尿素、及びこれらの組み合わせからなる群から選択される物質であってよい、又はそれを含んでよい。担体、つまり水溶性担体（water soluble-soluble carrier）は、塩化ナトリウム、塩化カリウム、塩化カルシウム、塩化マグネシウム、硫酸ナトリウム、硫酸カリウム、硫酸マグネシウム、炭酸ナトリウム、炭酸カリウム、炭酸水素ナトリウム、炭酸水素カリウム、酢酸ナトリウム、酢酸カリウム、クエン酸ナトリウム、クエン酸カリウム、酒石酸ナトリウム、酒石酸カリウム、酒石酸カリウムナトリウム、乳酸カルシウム、水ガラス、ケイ酸ナトリウム、ケイ酸カリウム、デキストロース、フルクトース、ガラクトース、イソグルコース、グルコース、スクロース、ラフィノース、イソマルト、キシリトール、氷砂糖、ざらめ糖、及びこれらの組み合わせからなる群から選択されてよい。一実施形態では、担体、つまり水溶性担体は、塩化ナトリウムであってよい。一実施形態では、担体、つまり水溶性担体は、食卓塩であってよい。
【００１２】
担体は、重炭酸ナトリウム、硫酸ナトリウム、炭酸ナトリウム、ギ酸ナトリウム、ギ酸カルシウム、塩化ナトリウム、スクロース、マルトデキストリン、コーンシロップ固体、コーンスターチ、小麦デンプン、米デンプン、ジャガイモデンプン、タピオカデンプン、粘土、ケイ酸塩、クエン酸カルボキシメチルセルロース、脂肪酸、脂肪族アルコール、水素化獣脂のグリセリルジエステル、グリセロール、及びこれらの組み合わせからなる群から選択される物質であってよい、又はそれを含んでよい。
【００１３】
担体は、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘土、水不溶性ケイ酸塩、クエン酸カルボキシメチルセルロース、脂肪酸、脂肪族アルコール、水素化獣脂のグリセリルジエステル、グリセロール、ポリビニルアルコール、ポリエチレングリコール、及びこれらの組み合わせからなる群から選択されてよい。
【００１４】
担体は、ポリビニルアルコール、変性ポリビニルアルコール、ポリビニルピロリドン、ポリビニルアルコール／ポリビニルピロリドン、ポリビニルアルコール／ポリビニルアミン、部分加水分解ポリ酢酸ビニル、ポリアルキレンオキシド、ポリエチレングリコール、アクリルアミド、アクリル酸、セルロース、アルキルセルロース系材料、メチルセルロース、エチルセルロース、プロピルセルロース、セルロースエーテル、セルロースエステル、セルロースアミド、ポリ酢酸ビニル、ポリカルボン酸及びポリカルボン酸塩、ポリアミノ酸又はペプチド、ポリアミド、ポリアクリルアミド、マレイン酸／アクリル酸のポリマー、多糖類、デンプン、加工デンプン、ゼラチン、アルジネート、キシログルカン、ヘミセルロース性多糖類、キシラン、グルクロノキシラン、アラビノキシラン、マンナン、グルコマンナン、ガラクトグルコマンナン、天然ガム、ペクチン、キサンタン、カラギーナン、ローカスビーン、アラビック、トラガカント、ポリアクリレート、スルホン化ポリアクリレート、水溶性アクリレートポリマー、アルキルヒドロキシセルロース系材料、メチルセルロース、カルボキシメチルセルロースナトリウム、変性カルボキシ−メチルセルロース、デキストリン、エチルセルロース、プロピルセルロース、ヒドロキシエチルセルロース、ヒドロキシプロピルメチルセルロース、マルトデキストリン、ポリメタクリレート、ポリビニルアルコールポリマー、ヒドロキシプロピルメチルセルロース、及びこれらの混合物からなる群から選択され得る。
【００１５】
担体は、約２０００〜約１３０００の重量平均分子量を有するポリエチレングリコールであり得る。
【００１６】
担体は、香料を担持する水溶性粒子に形成することができる。粒子１０は、回転形成プロセスによって形成され得る。粒子は、７５０ｍｍ幅、１０ｍ長のベルトを有するＳＡＮＤＶＩＫ  ＲＯＴＯＦＯＲＭ３０００で形成され得る。回転形成シリンダーは、機械横方向に１０ｍｍ間隔、機械方向に９．３５ｍｍ間隔に設定した直径２ｍｍの開口部を有してもよい。回転形成シリンダーは、ベルトの約３ｍｍ上に設定される。ベルト速度及び回転形成シリンダーの回転速度は、１０ｍ／分に設定され得る。粒子のための前駆材料の溶解物は、ミキサーから約３．１ｋｇ／分の速度で回転形成シリンダーへ圧送され得る。板枠式（plate and frame）熱交換器は、温度を約５０℃に制御するように設定され得る。
【００１７】
固形組成物は、粒子の約４０重量％〜約９９重量％の担体を含み得る。担体は、ポリエチレングリコールであってよい。
【００１８】
固形組成物は、約４０重量％超の、約２０００〜約１３０００の重量平均分子量を有するポリエチレングリコールを含み得る。ポリエチレングリコール（Polyethylene glycol、ＰＥＧ）は比較的低コストであり、多くの異なる形状及び寸法に形成することが可能であり、非カプセル封入香料の拡散を最小にとどめ、水によく溶解する。ＰＥＧは、様々な重量平均分子量で入手可能である。ＰＥＧの好適な重量平均分子量の範囲としては、約２，０００〜約１３，０００、約４，０００〜約１２，０００、あるいは約５，０００〜約１１，０００、あるいは約６，０００〜約１０，０００、あるいは約７，０００〜約９，０００、あるいはこれらの組み合わせが挙げられる。ＰＥＧは、例えば、ＰＬＵＲＩＯＬ  Ｅ８０００として、ＢＡＳＦから入手可能である。
【００１９】
固形組成物は、粒子の約４０重量％超のＰＥＧを含み得る。固形組成物は、固形組成物、又は採用される場合は粒子の約５０重量％超のＰＥＧを含むことができる。固形組成物は、固形組成物、又は採用される場合は粒子の約６０重量％超のＰＥＧを含むことができる。固形組成物は、固形組成物、又は採用される場合は粒子の約６５重量％〜約９９重量％のＰＥＧを含むことができる。固形組成物は、固形組成物、又は採用される場合は粒子の約４０重量％〜約９９重量％のＰＥＧを含むことができる。
【００２０】
あるいは、固形組成物は、固形組成物、又は採用される場合は粒子の約４０重量％〜約９０重量％、あるいは約４５重量％〜約７５重量％、あるいは約５０重量％〜約７０重量％、あるいはこれらの組み合わせ、及び前述の任意の範囲内の任意の整数の百分率又は整数の百分率の範囲のＰＥＧを含むことができる。
【００２１】
用途に応じて、固形組成物は、固形組成物の約０．５重量％〜約５重量％の、グリセリン、ポリプロピレングリコール、ミリスチン酸イソプロピル、ジプロピレングリコール、１，２−プロパンジオール、及び２０００未満の重量平均分子量を有するＰＥＧ、並びにこれらの混合物からなる群から選択される平衡剤を含んでよい。
【００２２】
粒子は、染料を含んでもよい。粒子は、粒子の約０．１重量％未満、あるいは約０．００１重量％〜約０．１重量％、あるいは約０．０１重量％〜約０．０２重量％、あるいはこれらの組み合わせ、及び前述の任意の範囲内の任意の１／１００のオーダーの百分率又は１／１００のオーダーの百分率の範囲の染料を含んでよい。好適な染料の例としては、限定されないが、ＬＩＱＵＩＴＩＮＴ  ＰＩＮＫ  ＡＭ、ＡＱＵＡ  ＡＳ  ＣＹＡＮ  １５及びＶＩＯＬＥＴ  ＦＬ（Ｍｉｌｌｉｋｅｎ  Ｃｈｅｍｉｃａｌ）が挙げられる。
【００２３】
固形組成物は、酸化防止剤を含むことができる。酸化防止剤は、製造してから使用するまでの期間に、固形組成物、又は採用される場合は粒子の色及び又は臭いの安定性を促進することに役立ち得る。固形組成物は、固形組成物、又は採用される場合は粒子の約０．０１重量％〜約１重量％の酸化防止剤を含むことができる。固形組成物は、固形組成物、又は採用される場合は粒子の約０．００１重量％〜約２重量％の酸化防止剤を含むことができる。固形組成物は、固形組成物、又は採用される場合は粒子の約０．０１重量％〜約０．１重量％の酸化防止剤を含むことができる。酸化防止剤は、ブチル化ヒドロキシトルエンであってよい。
【００２４】
香料は、非カプセル封入香料及びカプセル封入香料の一方又は両方を含むことができる。香料は、香料送達技術によってもたらされた香料、又は何らかの他の様式でもたらされた香料であってよい。香料は、概して、米国特許第７，１８６，６８０号の第１０欄５６行〜第２５欄２２行に記載されている。香料は、香料担体材料によって担持され得る。香料担体材料の例は、米国特許第７，１８６，６８０号の第２５欄２３行〜第３１欄７行に記載されている。香料担体材料の具体例としては、シクロデキストリン及びゼオライトを挙げることができる。
【００２５】
香料は、約０．０１ｔｏｒｒ超の飽和蒸気圧を有する香料原材料を含み得る。かかる蒸気圧は、粒子の使用時に消費者の鼻に到達するのに十分な揮発性の香料を有するのに実用的であり得る。組成物は、約３超のｌｏｇＰを有する香料原材料を含み得る。このような、香料のためのｌｏｇＰは、洗濯物、衣類への許容可能な付着を有するのに実用的であり得る。香料は、約０．０１ｔｏｒｒ超の飽和蒸気圧、及び約３超のｌｏｇＰを有する香料原材料を含み得る。かかる香料は、香料が消費者の鼻に到達するのに十分な揮発性と、洗濯物、衣類、布地などへの十分な付着を提供するのに実用的であり得る。
【００２６】
試験する香料混合物中の各ＰＲＭについて、飽和蒸気圧（Vapor Pressure、ＶＰ）値を計算する。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（Ｔｏｒｏｎｔｏ、Ｃａｎａｄａ）から入手可能なＶＰ  Ｃｏｍｐｕｔａｔｉｏｎａｌ  Ｍｏｄｅｌ、バージョン１４．０２（Ｌｉｎｕｘ（登録商標））を用いて計算され、ｔｏｒｒの単位で表される２５℃でのＶＰ値が得られる。ＡＣＤ／実験室の蒸気圧モデルは、ＡＣＤ／実験室モデルの装置の一部である。
【００２７】
試験する香料混合物中の各ＰＲＭについて、香料に対するオクタノール／水の分配係数のｌｏｇ値（ｌｏｇＰ）を計算する。個々のＰＲＭのｌｏｇＰ値は、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂ）（Ｔｏｒｏｎｔｏ、Ｃａｎａｄａ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ）を用いて計算され、無単位のｌｏｇＰ値が得られる。ＡＣＤ／ＬａｂのＣｏｎｓｅｎｓｕｓ  ｌｏｇＰ  Ｃｏｍｐｕｔａｔｉｏｎａｌ  Ｍｏｄｅｌは、ＡＣＤ／実験室モデルの装置の一部である。
【００２８】
粒子が採用され、ＰＥＧが担体である場合、ＰＥＧに加えて、粒子は、０．１重量％〜約２０重量％の香料を更に含むことができる。香料は、非カプセル封入香料、カプセル封入香料、香料送達技術によってもたらされた香料、又は何らかの他の様式でもたらされた香料であってよい。粒子は、非カプセル封入香料を含む場合もあり、香料マイクロカプセルなどの香料担体を本質的に含まない。粒子は、香料担体材料（及びそれに含まれる香料）を含み得る。
【００２９】
粒子は、粒子の約０．１重量％〜約２０重量％、あるいは約１重量％〜約１５重量％、あるいは約２重量％〜約１０重量％、あるいはこれらの組み合わせ、及び前述の任意の範囲内の任意の整数の百分率の香料を含んでもよい。粒子は、粒子の約０．１重量％〜約６重量％の香料を含み得る。この香料は、非カプセル封入香料であるか、カプセル封入香料であってよい。
【００３０】
粒子は、香料担体を含まないか、又は実質的に含まなくてもよい。粒子は、粒子の約０．１重量％〜約２０重量％、あるいは約１重量％〜約１５重量％、あるいは約２重量％〜約１０重量％、あるいはこれらの組み合わせ、及び前述の任意の範囲内の任意の整数の百分率の非カプセル封入香料を含んでもよい。
【００３１】
粒子は、非カプセル封入香料及び香料マイクロカプセルを含んでもよい。非カプセル封入香料のそのような濃度は、非カプセル封入香料を有する本明細書に開示の粒子のいずれにとっても適切であり得る。
【００３２】
粒子は、非カプセル封入香料及び香料マイクロカプセルを含んでもよいが、他の香料担体を含まないか、又は本質的に含まなくてもよい。粒子は、非カプセル封入香料及び香料マイクロカプセルを含んでもよく、他の香料担体を含まなくてもよい。
【００３３】
粒子は、カプセル封入香料を含み得る。カプセル封入香料は、複数の香料マイクロカプセルとして提供され得る。香料マイクロカプセルは、シェル内に封入された香料オイルである。シェルは、香料コアの最大寸法未満の平均シェル厚を有し得る。香料マイクロカプセルは、破砕しやすい香料マイクロカプセルであってもよい。香料マイクロカプセルは、水分活性化香料マイクロカプセルであってよい。
【００３４】
香料マイクロカプセルは、メラミン／ホルムアルデヒドシェルを含んでもよい。香料マイクロカプセルは、Ａｐｐｌｅｔｏｎ、Ｑｕｅｓｔ  Ｉｎｔｅｒｎａｔｉｏｎａｌ、又はＩｎｔｅｒｎａｔｉｏｎａｌ  Ｆｌａｖｏｒ＆Ｆｒａｇｒａｎｃｅｓ又は他の好適な供給元から得てもよい。香料マイクロカプセルのシェルは、香料マイクロカプセルの衣類への付着性を高めるためにポリマーでコーティングされてよい。このことは、粒子が布地処理組成物であるように設計されている場合に望ましい場合がある。香料マイクロカプセルは、米国特許出願公開第２００８／０３０５９８２号に記載されたものであり得る。
【００３５】
粒子は、粒子の約０．１重量％〜約２０重量％、あるいは約１重量％〜約１５重量％、あるいは２重量％〜約１０重量％、あるいは約０．１重量％〜約１０重量％、あるいは約０．４重量％〜約１０重量％、あるいはこれらの組み合わせ、及び前述の任意の範囲内の任意の整数の百分率のカプセル封入香料を含むことができる。
【００３６】
粒子は、香料マイクロカプセルを含んでもよいが、非カプセル封入香料を含まないか、又は本質的に含まなくてもよい。粒子は、粒子の約０．１重量％〜約２０重量％、あるいは約１重量％〜約１５重量％、あるいは約０．１重量％〜約１０重量％、あるいは０．４重量％〜約１０重量％、あるいはこれらの組み合わせ、及び前述の任意の範囲内の任意の１／１０のオーダーの百分率のカプセル封入香料を含むことができる。
【００３７】
固形組成物は、悪臭減少材を含む。悪臭減少材は、これらの技術を含む清浄組成物及び装置、並びにこのような清浄組成物及び装置で処理された芳香を放つ場所又は芳香を放たない場所の香りを過度に妨害しない可能性がある。
【００３８】
悪臭減少材は、（米国特許出願公開第２００５／０１２４５１２号に開示されているような）反応性アルデヒドなどの臭気中和材、臭気遮断材、臭気マスキング材、イオノン（米国特許出願公開第２００５／０１２４５１２号にも開示されている）などの感覚変性材、並びに、これらの組み合わせが挙げられる。
【００３９】
悪臭減少材は、１，１，２，３，３−ペンタメチル−１，２，３，５，６，７−ヘキサヒドロ−４Ｈ−インデン−４−オン、（Ｅ）−３，７−ジメチルオクタ−２，６−ジエン−１−イルパルミテート、（３Ｒ，３ａＲ，６Ｓ，７Ｓ，８ａＳ）−６−メトキシ−３，６，８，８−テトラメチルオクタヒドロ−１Ｈ−３ａ，７−メタノアズレン、フルオロ酢酸、１−（（２−（ｔｅｒｔ−ブチル）シクロヘキシル）オキシ）ブタン−２−オール、３−メチル−５−フェニルペンタノール、２−（８−イソプロピル−６−メチルビシクロ［２．２．２］オクト−５−エン−２−イル）−１，３−ジオキソラン、２，２，６，６，７，８，８−ヘプタメチルデカヒドロ−２Ｈ−インデノ［４，５−ｂ］フラン、３，３−ジメチル−２，３−ジヒドロ−１Ｈ−インデン−５−イルプロパナール、１，１−ジメチル−２，３−ジヒドロ−１Ｈ−インデン−５−イル）プロパナール、２，４−ジメチル−４，４ａ，５，９ｂ−テトラヒドロインデノ［１，２−ｄ］［１，３］ジオキシン、（Ｅ）−オキサシクロヘキサデカ−１３−エン−２−オン、（Ｒ，Ｚ）−１−（２，６，６−トリメチルシクロヘキス−２−エン−１−イル）ペンタ−１−エン−３−オン、３−（７，７−ジメチル−４−ビシクロ［３．１．１］ヘプト−３−エニル）−２，２−ジメチルプロパナール、（Ｚ）−シクロオクト−４−エン−１−イルメチルカーボネート、オクタヒドロ−２Ｈ−クロメン−２−オン、７−メチルオクチルアセテート、エチル（２，３，６−トリメチルシクロヘキシル）炭酸塩、ドデカン酸エチル、（１Ｒ，４Ｒ，６Ｒ，１０Ｓ）−４，１２，１２−トリメチル−９−メチレン−５−オキサトリシクロ［８．２．０．０４，６］ドデカン、４，８−ジメチル−１−（メチルエチル）−７−オキシビシクロ［４．３．０］ノナン、３ａ，４，５，６，７，７ａ−ヘキサヒドロ−１Ｈ−４，７−メタノインデン−６−イルプロピオネート、１−（５，５−ジメチルシクロヘキス−１−エン−１−イル）ペンタ−４−エン−１−オン、５−シクロヘキサデセン−１−オン、（Ｅ）−デカ−４−エナール、（１−メチル−２−（（１，２，２−トリメチルビシクロ［３．１．０］ヘキサン−３−イル）メチル）シクロプロピル）メタノール、４−（ｔｅｒｔ−ブチル）シクロヘキサン−１−オール、メチルパルミテート、２−イソプロピル−５−メチルフェノール、２，６−ジ−ｔｅｒｔ−ブチル−４−メチルフェノール、及びそれらの組み合わせからなる群から選択されてもよい。
【００４０】
固形組成物は、固形組成物の約０．００５重量％〜約１０重量％、より好ましくは約０．０２５重量％〜約１重量％、最も好ましくは約０．０５重量％〜約０．５重量％の当該悪臭材を、固形組成物の約０．００５重量％〜約１０重量％、より好ましくは約０．０２５重量％〜約１重量％、最も好ましくは約０．０５重量％〜約０．５重量％の当該悪臭減少材を含んでもよい。
【００４１】
液体組成物は、香料混合物に加えて、又はその代用として、以下のものが挙げられるがこれらに限定されない他の揮発性材料を含み得ると想到される：揮発性染料；殺虫剤又は昆虫忌避剤として機能する組成物；環境を条件付けし、改造し、又は他の方法で変更するように作用する（例えば、睡眠を補助するため、眼を覚まさせるため、呼吸を助けるため、等の条件付けをする）精油又は材料；防臭剤、及びこれらの組み合わせ。
【００４２】
粒子
固形組成物は、粒子の形態であってもよい。固形組成物が粒子の形態である場合、粒子は様々な形状を有し得る。粒子は、錠状、ピル状、球状など、様々な形状に形成されてよい。粒子は、球状、半球状、圧縮半球形、扁豆（lentil）形及び楕円形からなる群から選択される形状を有してもよい。扁豆形とは、レンズ豆の形状を指す。圧縮半球形は、同じ半径を有する半球形の湾曲よりも、曲面の湾曲が平均して少なくなるように少なくとも部分的に平らな半球形状に対応する形状を指す。圧縮半球形粒子は、約０．０１〜約０．４、あるいは約０．１〜約０．４、あるいは約０．２〜約０．３の高さ対最大基底寸法の比率を有してよい。楕円形とは、最大寸法及び最大寸法に直交する最大二次寸法を有する形状を指し、最大寸法対最大二次寸法の比率は約１．２を超える。楕円形は、約１．５を超える最大基底寸法対最大短基底寸法の比率を有してよい。楕円形は、約２を超える最大基底寸法対最大短基底寸法の比率を有してよい。楕円形の粒子は、約２ｍｍ〜約６ｍｍの最大基底寸法と、約２ｍｍ〜約６ｍｍの最大短基底寸法と、を有してよい。
【００４３】
個々の粒子は、約０．１ｍｇ〜約５ｇ、あるいは約１０ｍｇ〜約１ｇ、あるいは約１０ｍｇ〜約５００ｍｇ、あるいは約１０ｍｇ〜約２５０ｍｇ、あるいは約０．９５ｍｇ〜約１２５ｍｇ、あるいはこれらの組み合わせ、及び前述の任意の範囲内の任意の整数又は整数の範囲のｍｇ又はグラムの質量を有してよい。複数の粒子においては、個々の粒子は、球形、半球形、圧縮半球形、扁豆形、及び楕円形からなる群から選択される形状を有することができる。
【００４４】
個々の粒子は、約０．００３ｃｍ３〜約０．１５ｃｍ３の体積を有してよい。複数の粒子は、異なるサイズ、形状、及び／又は質量を有する粒子で構成され得る。
【００４５】
各粒子５０は、１ｇ／ｃｍ３未満の密度を有し得る。各粒子５０は、約０．９５ｇ／ｃｍ３未満の密度を有し得る。典型的な洗浄液の密度は約１ｇ／ｃｍ３であるため、１ｇ／ｃｍ３未満、又は更には約０．９５ｇ／ｃｍ３未満の密度を有する粒子５０を提供することが望ましい場合がある。１ｇ／ｃｍ３未満、又は更には約０．９５ｇ／ｃｍ３未満の密度を有することにより、粒子製造方法の典型的な製造上のばらつきによって、製造される粒子５０のほぼ全てが、約１ｇ／ｃｍ３未満の密度を有すると考えられる。ほぼ全ての粒子５０に約１ｇ／ｃｍ３未満の密度を有させることは、洗浄溶液中に浮遊する粒子５０をもたらすために望ましいものであり得る。洗浄溶液から生じ得る香料ブルーム及び悪臭減少材の放出は、沈下する粒子５０と比較して、浮遊する粒子５０の方が大きくなり得る。
【００４６】
粒子５０は、約２０ｍｍ未満の最大寸法を有することができる。粒子５０は、約１０ｍｍ未満の最大寸法を有することができる。
【００４７】
各粒子５０は体積を有してもよく、粒子５０内のガス吸蔵体は、粒子の約０．５体積％〜約５０体積％、又は更には粒子の約１体積％〜約２０体積％、又は更には粒子の約２体積％〜約１５体積％、又は更には粒子の約４体積％〜約１２体積％を含み得る。理論に束縛されるものではないが、ガス吸蔵体の体積が大きすぎる場合、粒子５０は、望ましくない様式で破断せずにパッケージ化、出荷、保管、及び使用するのに十分な強度を備えないことがあると考えられる。
【００４８】
ガス吸蔵体は、約１マイクロメートル〜約２０００マイクロメートル、又は更には約５マイクロメートル〜約１０００マイクロメートル、又は更には約５マイクロメートル〜約２００マイクロメートル、又は更には約２５〜約５０マイクロメートルの有効径を有してよい。一般に、小さいガス吸蔵体は、大きいガス吸蔵体よりも望ましいと考えられる。ガス吸蔵体の有効径が大きすぎると、粒子５０は、望ましくない様式で破断せずにパッケージ化、出荷、保管、及び使用するのに十分な強度を備えないことがあると考えられる。有効径は、ガス吸蔵体と同一の体積を有する球形の直径である。ガス吸蔵体は、球状のガス吸蔵体であってよい。
【００４９】
粒子５０の組成物を含む前駆材料は、所望によりバッチミキサーであってもよいミキサーに溶融担体を供給することによって調製され得る。ミキサーは、所望の温度で前駆材料を調製することに役立つように加熱され得る。香料は、所望によりミキサー内で、溶融担体に加えられてもよい。染料（存在する場合）は、ミキサーに加えられてもよい。必要に応じて、他の補助材料が前駆材料に加えられてもよい。前駆材料は、所望によりインライン混合又は材料を混合するための他の既知の方法によって調製されてよい。
【００５０】
スクリーン
図７〜１０を参照すると、空気清浄装置１０は、ファンの下流に配置されたスクリーン３２を備えてもよい。スクリーン３２は、金属、プラスチック、樹脂など、及びこれらの組み合わせなどの剛性又は半剛性材料から構成されてもよい。スクリーン３２は、複数の開口部３４を備えてもよい。固形組成物４９は、スクリーン３２の少なくとも一部分上に配置されてもよい。図８を参照すると、固形組成物４９は、スクリーン３２を完全に囲んでもよく、又はスクリーン３２を部分的に囲んでもよい。固形組成物４９は、スクリーン３２内の複数の開口部３４を囲む複数の開口部３６を形成してもよい。図１０を参照すると、固形４９組成物は、スクリーン３２の開口部３４の一部分に配置されてもよい。
【００５１】
パウチ
図４〜６を参照すると、基材１８は、チャンバ４０を封入するパウチ６０の少なくとも一部を形成することができる。パウチ６０は、チャンバ４０を少なくとも部分的に画定するか、又は画定する結合部７０を含み得る。結合部７０は、熱結合、溶融結合、接着結合、超音波結合、又は材料の縁部を別の縁部に接合するのに好適な任意の他の結合であり得る。チャンバ４０は、本明細書に記載されるように、香料を担持する複数の水溶性粒子５０を収容することができる。粒子５０は、本明細書に記載されるように香料を担持する本明細書に開示されている粒子５０のいずれかであり得る。
【００５２】
パウチ６０は、各々約２ｃｍ〜約２０ｃｍの長さＬ及び幅Ｗ、並びに約５ｍｍ〜約５ｃｍの厚さを有することができる。パウチ６０は、約８〜約１０ｃｍの長さＬ、及び約３ｃｍ〜約８ｃｍの幅Ｗを有することができる。
【００５３】
パウチ６０は、ハンガーのフック１００に嵌合するサイズ及び寸法の開口部を有することができる。
【００５４】
パウチ６０は、パウチ６０から延在しているタブ８０を有し得る。タブ８０は、結合部７０であってよい。タブ８０は、結合部７０からの延長部であり得る。タブ８０は、結合部７０又は結合部７０の一部分が、開口部とチャンバ４０との間にあるような位置にあり得る。タブ８０は、タブ８０を貫通する開口部９０を有することができる。開口部は、ハンガーのフック１００に嵌合するようなサイズ及び寸法とすることができる。開口部は、約２ｍｍ２〜約１０ｃｍ２の開口部面積を有することができる。開口部９０は、任意の所望の形状であり得る。開口部９０は、スロットとすることができる。
【００５５】
パウチ６０が開口部を有する構造は、香気を空間と関連付けるために実用的であり得る。例えば、消費者は、パウチ６０をフック又はハンガー上に吊るしてもよい。パウチ６０が開口部９０を有する構造は、パウチ６０が、複数の目的、複数回の使用を有し、空気を清浄化するために複数の時点で使用することができるため、消費者にとって魅力的であり得る。消費者は、自身の必要性に最も一致する様式でパウチ６０を使用することを選択する自由及び柔軟性を有する。
【００５６】
パウチ４０は、複数の粒子５０を含み得る。複数の粒子５０は、約１ｇ〜約５０ｇの質量の粒子５０を有し得る。複数の粒子５０は、約１ｇ〜約１００ｇの質量の粒子５０を有し得る。パウチ６０の断面を図４に示す。図４に示すように、パウチ６０は、厚さＴを有することができる。パウチの厚さＴは、約０．１ｍｍ〜約２０ｍｍとすることができる。パウチの厚さＴは、約３ｍｍ〜約１０ｍｍとすることができる。
【００５７】
流体透過性パウチは、約１０００μｍ未満のＡＳＴＭ  Ｄ４７５１−１２による見掛けの開口径を有する基材１８を含むことができる。流体透過性パウチは、約５００μｍ未満のＡＳＴＭ  Ｄ４７５１−１２による見掛けの開口径を有する基材１８を含むことができる。流体透過性パウチは、約２００μｍ未満のＡＳＴＭ  Ｄ４７５１−１２による見掛けの開口径を有する基材１８を含むことができる。流体透過性パウチは、約１００μｍ未満のＡＳＴＭ  Ｄ４７５１−１２による見掛けの開口径を有する基材１８を含むことができる。流体透過性パウチは、約５０μｍ〜約１０００μｍのＡＳＴＭ  Ｄ４７５１−１２による見掛けの開口径を有する基材１８を含むことができる。
【００５８】
流体透過性パウチは、約２００μｍ〜約８００μｍの間のＡＳＴＭ  Ｄ４７５１−１２による見掛けの開口径を有する基材１８を含むことができる。流体透過性パウチは、約４００μｍ〜約６００μｍのＡＳＴＭ  Ｄ４７５１−１２による見掛けの開口径を有する基材１８を含むことができる。
【００５９】
本明細書に記載されているプロセスでパウチ６０を採用するとき、消費者の手が粒子５０に接触する可能性を低減するために、見掛けの開口径のこの上限は実用的であり得る。粒子５０の成分に応じて、粒子５０は、消費者が手で接触するのが心地良いものではない感触、質感、又は化学的構成を有してもよい。理論に束縛されるものではないが、前述の見掛けの開口径を有する基材１８を提供することによって、このような基材１８の開口部は、パウチ１０内に含まれる粒子５０とのユーザによる接触を消費者にとって許容できる程度まで減少させるのに十分に小さいと考えられる。より大きい開口部、例えば、１ｍｍ以上の見掛けの開口径が使用される場合、粒子５０の一部分は、基材１８の開口部を通って突出してもよい。これは、粒子５０がギザギザ形状、不規則形状、又は鋭く湾曲した表面を有する場合に特に当てはまる。
【００６０】
パウチ６０は、約１ｇｓｍ〜約１００ｇｓｍの坪量を有する基材１８を含み得る。一般に、より高い坪量の材料は、材料構造及び構成などの事項が等しい場合、より低い坪量材料よりも大きな厚さを有する傾向がある。より高い坪量の基材１０はまた、消費者の手が粒子５０に接触する可能性を低減するために実用的であり得る。理論に束縛されるものではないが、より厚い基材１８は、消費者の手とパウチ６０に含まれている粒子５０との間の距離を増加させるので、これが当てはまる可能性がある。
【００６１】
基材１８は、通気性であってもよい。基材１８は、約１０００μｍ未満のＡＳＴＭ  Ｄ４７５１−１２による見掛けの開口径、及び約１ｇｓｍ〜約１０００ｇｓｍの坪量を有することができる。流体透過性パウチは、約５０μｍ〜約１０００μｍのＡＳＴＭ  Ｄ４７５１−１２による見掛けの開口径を有する基材１８を含むことができる。これらの材料特性におけるこれらの範囲は、パウチ６０の外側とその中に含まれている粒子５０との間に十分に小さい開口部及び分離を提供して消費者が自身の手で粒子５０と接触する可能性を許容レベルまで低減すると考えられる。
【００６２】
香気付き用品は、本明細書に記載されているプロセスで使用することができる。香気付き用品は、チャンバ４０を封入する流体透過性パウチ６０、及びチャンバ内に収容された複数の水溶性粒子５０を含むことができる。パウチ６０は、約１０００μｍ未満のＡＳＴＭ  Ｄ４７５１−１２による見掛けの開口径を有する基材１８を含み得る。パウチ６０は、約５０μｍ〜約１０００μｍのＡＳＴＭ  Ｄ４７５１−１２による見掛けの開口径を有する基材１８を含み得る。粒子は、担体及び香料を含み得る。粒子５０は、約０．１ｍｇ〜約１０ｇの個々の質量を有し得る。複数の粒子５０は、約５ｇ〜約１００ｇの質量を有し得る。
【００６３】
パウチ６０は、本明細書に記載されているように、香気を空間と関連付けるために使用され得る。パウチ６０は、空気中に香料及び悪臭減少材を提供して空気を清浄化するために、空気清浄装置１０内に配設されてもよい。ファンを使用することにより、パウチ６０内の固形組成物４９からの香料及び悪臭減少材の良好な室内充填を空気中に送達することが見出された。
【００６４】
例えば、パウチ６０は、部屋の中、引き出しの中、バッグの中、かごの中、衣服のポケットの中、及び香料及び悪臭減少材を空気中に移して空気を清浄化すことが望まれる様々な他の場所内に配設することができる。
【００６５】
パウチ６０を形成する通気性基材１８は、多孔質基材である。通気性基材は、空気及び／又は水の流れに対して透過性である。通気性基材は、約１×１０−４ｃｍ／ｓを超える交差平面飽和透水係数を有することができる。通気性基材は、０．０７５ｍｍ超、所望によりそれ以上のＡＳＴＭ  Ｄ４７５１−１２による見掛けの開口径を有し得る。
【００６６】
基材１８は、水不溶性であってもよい。基材１８は、繊維ウェブであってもよい。例えば、基材は、オハイオ州シンシナティのＴｈｅ  Ｐｒｏｃｔｅｒ＆Ｇａｍｂｌｅ  ＣｏｍｐａｎｙによってＢＯＵＮＣＥブランドの下で乾燥機用シートとして現在市販されている基材を含む、乾燥機用シート製品に一般に採用されている種類の繊維ウェブであってもよい。基材１８は、繊維不織ウェブであってもよい。乾燥機用シートに使用されるものなどの繊維ウェブは、ウェブが複数の断片に崩壊することなく洗浄及び乾燥サイクルの両方を通過するのに十分な耐久性があると考えられる。
【００６７】
基材１８は、約２〜約６のデニールを有するポリエステル繊維から調製されたポリエステル不織布であってもよい。基材１８は、約１ｇｓｍ〜約１００ｇｓｍの坪量を有し得る（ｇｓｍは、この説明全体を通して平方メートル当たりのグラムを意味する）。基材１８は、約１０ｇｓｍ〜約５０ｇｓｍの坪量を有し得る。基材１８は、約０．０１ｍｍ〜約２０ｍｍの厚さを有し得る。基材１８は、約０．０５ｍｍ〜約２ｍｍの厚さを有し得る。基材１８は、スパンボンドウェブであってもよい。基材１８は、相互配置された個々の繊維又は糸の構造を有するが、織布又は編布の場合のような繰り返しパターンではないウェブであってもよい。基材は、水流交絡、スパンレース、又は結合カーディングされた不織布ウェブであってもよい。基材は、ポリマー繊維を含み得る。ポリオレフィンである繊維が好適であり得る。ポリプロピレン繊維及びポリエチレン繊維はまた、単一繊維又は複合繊維のいずれかとして好適であり得る。ポリビニルアルコール、ポリエチレン、ポリエチレンテレフタレート、及びナイロンなどの他のポリマーが好適であり得る。
【００６８】
基材１８は、柔軟で柔らかい感触である材料とすることができる。好適な基材１８は、ポリマー材料、成形熱可塑性フィルム、有孔プラスチックフィルム、多孔質フィルム、有孔成形フィルム、網状フォーム、織布及び不織布合成繊維（例えば、ポリエステル又はポリプロピレン繊維）のような広範囲の材料から、又は天然繊維と合成繊維の組み合わせから製造することができる。
【００６９】
所望により、基材１８は、香料を担持する粒子を少なくとも部分的に封入するパウチに成形することができる。
【００７０】
基材１８は、アメリカ合衆国ワシントン州ウォッシュガールのＦＩＴＥＳＡから入手可能な、スタイル０８３ＹＬＪＯ０９Ｐ、商品説明Ｗ４５６６、坪量２７．８１２５ｇｓｍの不織布材料とすることができる。基材１８は、約２０ｇｓｍ〜約４０ｇｓｍの坪量を有してもよい。基材１８は、約０．０５ｍｍ〜約２ｍｍの厚さを有してよい。
【００７１】
基材１８は、基材上に、基材内に、又は基材によって少なくとも部分的に封入されて香料を担持することができる。例えば、基材１８は、香料を担持する固形組成物で少なくとも部分的にコーティングされ得る。担体は、香料を含むホットメルト材料であり得る。所望により、基材１８は、マトリックス内で香料を順に担持する固形組成物を担持することができ、マトリックスは、基材１８の繊維間の間隙空間内に位置決めされている。基材１８は、基材１８の外面上、及び基材１８を含む繊維間の間隙空間において基材１８内に固形組成物を担持することができる。
【００７２】
基材１８は、約１０００μｍ未満のＡＳＴＭ  Ｄ４７５１−１２による見掛けの開口径を有することができる。基材１８は、約５０μｍ〜約１０００μｍのＡＳＴＭ  Ｄ４７５１−１２による見掛けの開口径を有することができる。そのような基材１８は、消費者にとって心地良い手触りを有することができる。また、粒子が採用される一実施形態で基材１８が使用される場合、そのような基材１８は、使用中に消費者の手が粒子と接触する可能性を低減するのに役立ち得る。基材１８は、約１ｇｓｍ〜約１００ｇｓｍの坪量を有し得る。このような坪量を有することはまた、採用される場合、消費者が粒子と接触する可能性を低減するのに役立ち得、所望の量の香料を担持するのに十分な材料を提供することができる。
【００７３】
基材１８は、水不溶性であってもよい。このような基材１８が、その質量の５０％超を失うことなく、静電脱イオン水中に２０℃で２４時間完全に浸されることができる場合、基材１８は水不溶性であると考えられる。
【００７４】
図１１及び図１２を参照すると、パウチの代わりに、粒子５０又は固形組成物４９は、容器３７内に封入されてもよい。容器３７は、パウチ６０の代わりに空気清浄装置１０に挿入されてもよい。
【００７５】
スリーブ
流体通気性基材１８は、図４に示すように、密封されたスリーブ２０内に包装することができる。このプロセスは、スリーブ２０を開放し、スリーブ２０から基材１８を除去するステップを更に含むことができる。次いで、基材１８を装置１０内に配設することができる。スリーブ２０は、プラスチックフィルム材料から形成されてもよい。密封されたスリーブ２０内の基材１８を包装することは、蒸発を介して基材１８から失われた香料の量を減少させるのに実用的であり得、それによって、洗濯物に香気を提供するために利用可能な香料をより多く残す。スリーブ２０は、脆弱線３０を有し得る。脆弱線３０は、消費者が基材１８を取り出すことを可能にするために、スリーブ２０を開放するために引き裂かれるか、又は引き上げられることができる、優先的な脆弱線であり得る。基材１８は、密封されたスリーブ２０内に個別に包装されてもよく、又は単一のスリーブ２０内に複数の基材１０と共に包装されてもよい。通気性基材１８を含むパウチは、同様に密封されたスリーブ２０内に包装することができる。パウチが流体通気性基材１８を含む場合、パウチは、同じ様式で密封されたスリーブ２０内に包装されてもよい。
【００７６】
ハウジング
図１〜図３及び図７を参照すると、装置１０は、パウチ６０又はスクリーン３２の形態で固形組成物を収容するためのハウジング１２、ファンアセンブリ８０及び／又はカバー１７を備えてもよい。ハウジング２０は、単一パーツから、又は一体に接合して少なくとも１つのチャンバ１３を画定する複数のパーツから形成されたものでよい。チャンバ１３はファン１４と気流連通している。空気は、ファンアセンブリ１４から固形組成物の下流に流れる。「下流（downstream）」は、本明細書で使用するとき、空気清浄装置を通過する空気流を測定する場合、基準位置から時間的に遅い空気流路内の位置を意味する。ハウジング１２は、入力空気及び出力空気のハウジング内及び外への通過を促進するための、１つ以上の排気口３８を備える。
【００７７】
ファン
ファン１３は、固形組成物の上にある体積の空気を生成及び／又は移動させるように構成された任意の好適なファン又は構成要素を含み得る。
【００７８】
ファン１３は、ファンのハウジング内に収容されてもよい。ファンは、固形組成物から約１８インチまで位置決めされ得る。ファン１３は、回転式ハブ、及びその回転式ハブから延在する、又はそうでなければ回転式ハブに取り付けられている若しくは回転式ハブと共に形成されている、少なくとも２つのファンブレード、及びモータを備えることができる。
【００７９】
回転式ハブの直径は、回転可能なハブの直径は、約８ｍｍ〜約２０ｍｍであり得る。駆動軸は、モータによる駆動軸の回転が回転式ハブを回転させ、それによって少なくとも２つのファンブレードを回転させるように、回転式ハブと動作可能に係合することができる。
【００８０】
モータは、ファンブレードを連続的又は間欠的に移動させて、固形組成物上に空気体積を提供し得る。ファン１３により得られる空気の速度は、約５フィート／分〜４００フィート／分、又は約５０フィート／分〜２５０フィート／分であり得る。モータ８８は、電源から０．７ＶＤＣがモータ８８に供給されたときに毎分約６２００回転で駆動軸を回転させ、電源から１．０ＶＤＣがモータ８８に供給されたときに毎分約９４００回転で駆動軸を回転させるマブチＲＦ−Ｊ２０ＷＡ−５Ｚ１４５モータであってよい。様々な実施形態では、入口開口部及び出口開口部の断面積に応じて、モータによって生成される空気体積の流速は、約０．７ＶＤＣで約１．０〜約８．０ｍＬ／秒の範囲、１．０ＶＤＣで約６．０〜約１６．０ｍＬ／秒の範囲であってよい。様々な電圧レベルをモータ８８に供給することによって、駆動軸の回転速度及び結果として生じる空気体積の流速を変化させることができる。また、例えばＳｕｎｏｎ  ＵＢ３９３−１０ファンアセンブリのような任意の他の好適なモータをファンと共に使用してもよい。加えて、コントローラは、当業者に既知の任意の好適な技法を用いてモータに電圧を供給することができる。様々な実施形態では、パルス幅変調技術を用いて、例えば約０．７ＶＤＣ〜約１．０ＶＤＣのような特定の範囲にかけてモータに電圧を提供することができる。Ａ−Ｄ変換器のような追加的な回路又は構成要素を使用して、例えば電源電圧及び周囲温度のような多様な要因の補正をしてもよい。駆動軸及び／又は回転式ハブの回転による振動を隔離又は制限するために、シリコン又は熱可塑性エラストマーファン支持体などの振動抑制装置又は技術を使用することができる。
【００８１】
ファン１３は、遠心式（すなわち、放射状）ファンであり得る。各ファンブレードは、回転式ハブの回転軸に平行又は実質的に平行な方向に位置決めされている空気強制表面を備え得る。一実施形態では、導電線又は端末（不図示）を介して電流をモータに供給し、回転式ハブを回転させ得る。そのような回転によって、空気体積が、ファン入口に引き込まれ、駆動軸に対して半径方向へ強制的に移動する場合がある。他の実施形態では、例えば、ハウジング上の任意の好適な排気口又は通気路を通して装置１０の外側の雰囲気から空気体積を引き込み得る。少なくとも２つのファンブレードの回転は、空気体積を、ファン出口を通してファンハウジングの外へ、そして固形組成物上に押し上げる場合がある。様々な実施形態では、少なくとも２つのファンブレードは弧状であっても一直線であってもよく、並びに／又は曲線、一直線、及び／若しくは弧状の部分を有してもよい。加えて、少なくとも２つのファンブレードは、例えば翼型又は先細り形のような様々な断面形を有することができる。本開示を考慮した後に当業者に理解されるように、遠心式ファンは、比較的小さい寸法で高い効率を提供することができ、圧力の変化は、装置１０を通る圧力水頭の低下に対しほとんど影響を有し得ない。
【００８２】
別の実施形態では、ファン１３は、軸流ファンであり得る。この軸流ファンは、回転式ハブと、回転式ハブから延在する少なくとも３つのファンブレードと、を備え得る。この少なくとも３つのファンブレードは、回転式ハブに取り付けられるか、又は回転式ハブと共に形成される。一実施形態では、回転式ハブの直径は、例えば約８ｍｍ〜約２０ｍｍであり得るが、他の寸法も可能であり得る。ファンは、ファン入口を画定することができる。駆動軸は、回転式ハブと動作可能に係合でき、その結果、モータによる駆動軸の回転は回転式ハブを回転させ、それによって少なくとも３つのファンブレードが回転する。様々な実施形態では、ファンにより得られる空気の速度は、約５フィート／分〜４００フィート／分、又はあるいは約５０フィート／分〜２５０フィート／分でよい。但し、他の空気の速度が、可能であり得る。
【００８３】
各ブレードは、回転式ハブの回転軸に平行又は実質的に平行な方向に位置決めされている空気強制表面を備え得る。一実施形態では、導電線又は端末（不図示）を介して電流を軸方向モータに供給し、回転式ハブを回転させ得る。そのような回転は、空気体積がファン入口を通ってファンハウジング内に引き込まれるようにすることができる。軸流ファン構成の場合、ファンアセンブリ８０を通って流れる空気が、ファン入口を通って引き込まれ、駆動軸の方向に沿って強制的に移動され得る。少なくとも３つのファンブレードの回転は、空気体積が、ファン出口を通してファンハウジングの外へ、そして微多孔膜上に押し上げる場合もある。様々な実施形態では、少なくとも３つのファンブレード８６は、弧状であっても一直線であってもよく、並びに／又は曲線、一直線及び／若しくは弧状の部分を有していてもよい。加えて、少なくとも３つのファンブレードは、例えば翼型又は先細り型のような様々な断面形を有し得る。本開示の考慮の後に当業者には理解されるように、軸流ファンは、比較的小さい寸法で高い効率を提供することができ、圧力の変化は、固形組成物を通る圧力水頭の低下に対する影響をほとんど有し得ない。
【００８４】
本発明に好適なファンとしては、Ｓｕｎｏｎ  Ｗｅａｌｔｈ  Ｅｌｅｃｔｒｉｃ  Ｍａｃｈｉｎｅ  Ｉｎｄｕｓｔｒｙ  Ｃｏ．，Ｌｔｄ  ｏｆ  Ｔａｉｗａｎにより供給されている３０×３０×６ｍｍ  ＭａｇＬｅｖモータファン（Ｍｏｄｅｌ  ＭＣ３００６０Ｖ１−０００Ｕ−Ａ９９）、及びＭａｂｕｃｈｉ  Ｍｏｔｏｒにより供給されているファンモデルＲＦ−３３０ＴＫ  ０７８００が挙げられる。本発明の別の好適なファンは、以下の仕様を有し得る。
寸法：１２０×１２０×２５ｍｍ
ファン速度：８００〜１５００ｒｐｍ±２５０ＲＰＭ
最大流量：６６．５５ＣＦＭ
最大空気圧：１．４２ｍｍ  Ｈ２０
ベアリングタイプ：スリーブ
電力：５Ｖ
【００８５】
ファンは、電源を介して電力供給を受け、この電源は、ＡＣ／ＤＣ出口と、ＡＡ蓄電池、ＡＡＡ蓄電池、９ボルトの蓄電池、再充電型蓄電池及び／又は他の好適な蓄電池のような蓄電池と、を備え得る。一実施形態では、例えば太陽電池のような太陽エネルギー源を使用して装置に給電してもよい。様々な実施形態において、太陽電池（すなわち光電池）は、装置１０の外部に位置決めされてもよく、又は装置１０と通信してもよく、その結果、太陽電池は、装置１０に給電するエネルギーに変換可能な光を受け取ることができる。当業者は本開示を評価することによって、装置１０に給電するために任意の他の好適な方法又は装置を使用してもよいことを認識するであろう。
【００８６】
ファンの制御によって、ファンの稼働時間を最小限に抑えながら気相の揮発性組成物の最大の放出を実現することができる。様々な実施形態では、アクチベータの起動の順序若しくはパターン又はファンによって生成される空気体積の流速を調整して、空間内の揮発性組成物の完全飽和又はほぼ完全な飽和を可能にし、気相の揮発性組成物の放出を最大限にすることができる。一実施形態では、例えば、ファンを約１〜約１０秒間起動し、次いで約１〜約１０秒間休止することができる。
【００８７】
様々な実施形態では、ファンの起動持続時間、又はファンが提供する空気体積の流速を増すことにより、装置１０からの揮発性組成物の放出強度を増強し得る。ファンは、連続的に作動してもよく、又は断続的に作動してもよい。ファンは、約５％〜約５０％の負荷サイクル、又は約８％〜約２０％の負荷サイクルでオンオフを切り替えることができる。ファンの連続的な起動の間に一定の時間を設けることによって、ユーザが揮発性組成物の香気に再び注目しやすくなり、慣れが避けられる可能性が高まる。
【００８８】
様々な実施形態では、コントローラは、ファンと電気的に連通するように位置決めされていてもよく、そうすることにより、コントローラはファンに対し、起動タイミング、及び空気体積を微多孔膜６０上に押し上げる際の回転速度を、指示することができる。一実施形態において、コントローラ９５は、例えばマイクロコントローラのような任意の好適なタイプのコントローラであってよい。一実施形態において、コントローラは、Ｔｅｘａｓ  Ｉｎｓｔｒｕｍｅｎｔｓ  ＭＳＰ４３０Ｆ２１３２コントローラであってよい。様々な実施形態では、コントローラは１つ以上のユーザ入力ボタン又はスイッチを備えることができ、このボタン又はスイッチは、例えばユーザが押したときに入力信号をコントローラに提供して、それにより、コントローラがそれに対応する出力信号を例えばファン及び／又はユーザフィードバックモジュールに送信することができるように構成されている。
【００８９】
一実施形態では、様々なユーザ入力ボタン又はスイッチは、装置１０に電源オン又は電源オフするように構成された電源オン／オフスイッチ１９を備えることができる。理解されるように、入力ボタン又はスイッチは、例えば押しボタン、スライダ、ダイヤル、ノブのようなボタン及び／又はスイッチの任意の組み合わせであってよい。
【００９０】
いくつかの実施形態において、通信ネットワークは、ユーザ向け装置に関する情報を収集するように実装され得る。例えば、中央の装置コントローラを用い、アドホックな無線メッシュネットワークを形成し、かつ複数の通信モジュールが制御されるように装置を構成してもよい。例えば、中央の装置コントローラは、装置を有する室内に蒸発した揮発性組成物の量を感知するためのセンサと連通し得る。他の種類のセンサは、装置１０上に存在し得る。
【００９１】
様々な実施形態では、既定の時間間隔にわたり分配される揮発性組成物の量は、コントローラによってファンが起動される割合を調整することによって（すなわち、ファンが起動している時間及びファンが休止している時間を調整することによって）、ファンが起動しているときの空気移動速度を調整することによって（すなわち、モータへの電圧を調整することによって回転速度を調整することによって）、及び／又は両方の技法の組み合わせによって、制御することができる。一実施形態において、装置１０は、揮発性組成物の用量を要求に応じて雰囲気に送達するための「ブースト」ボタンを有することができる。例えば、ブーストボタンを押圧あるいは起動させると、ファンは例えば３０秒〜６０秒のような特定時間にわたり又は特定の回転速度で起動され得る。
【００９２】
様々な実施形態では、コントローラはまた、雰囲気の温度を感知するように構成されている温度センサと電気的に連通し得る。様々な実施形態では、温度センサは、コントローラが出力信号をファンに提供できるように、そのコントローラに対し、空間の温度を示す信号を送信するか、又は装置１０の他の様々な構成要素に対し、特定の温度及び／若しくは温度範囲に関する揮発性組成物用量を示す信号を送信できる。例えば、所望の結果を達成するために、より高い温度範囲はより低い温度範囲よりも大きい用量を必要とし得る。結果として、装置１０は電気効率的であることができ、その結果、電源１００の寿命を最大限にすることができる。装置１０は、例えば１〜３０秒間起動されてから、例えば１０〜２００秒間休止し得る。他の様々な実施形態において、所望の断続的用量が提供されるように、ユーザが装置１０を設定することができる。
【００９３】
様々な実施形態において、装置１０は、装置１０の状態に関してユーザにフィードバックを提供するように構成された、可視インジケータ、光源、及び／又は警報音などのセンサを備え得る。一実施形態において、センサを使用して、装置１０の特性をユーザに警告することができる。そのような実施形態では、フィードバックは可視及び／又は可聴のものであってもよく、特に、装置１０の電源がオンであるかどうか、分配されている揮発性組成物用量、電源の電力レベル、パウチ６０又はスクリーン３２内の固形組成物の量、種類、若しくはレベル、及び／又はユーザにとって有用又は有益な任意の他の好適なフィードバックをユーザに示すことができる。様々な実施形態では、センサは、コントローラ及び／又は電源に電気的に連結された例えば複数の光源のような１つ以上のインジケータ、並びにハウジング内の半透明の部分を備えることができ、その結果、ユーザは、ハウジングを通して１つ以上のインジケータを見ることができる。一実施形態では、１つ以上のインジケータは、どのようなタイプのフィードバックがユーザに提供されるかに応じて、１つ以上のインジケータの様々な光がハウジング１２の半透明の部分を通して可視光を発することができるように、任意の好適なやり方で方向付けられてよい。一実施形態では、ハウジング１２の半透明の部分は、任意の好適な形を含むことができ、１つ以上のインジケータを同様の形に構成して、例えば光源などの１つのインジケータへの電気が供給又は遮断されると、ユーザに第１のフィードバックが提供され、２つ以上の光源への電気が給電又は遮断されると、ユーザに少なくとも第２のフィードバック及びその後のフィードバックが提供され得る。一実施形態において、少なくとも１つのボタンは、１つ以上のインジケータがボタンを通して見えるように少なくとも部分的に半透明である。
【００９４】
いくつかの揮発性組成物（例えば芳香剤を含むもの）では、高い蒸気圧の揮発性組成物の原料は低い蒸気圧の原料より速く蒸発することになるので、変化する揮発性組成物製剤を補正するためにファン速度、ランタイムの頻度、又はオン／オフタイムを調整することが有用である場合がある。この場合、揮発性組成物は多くの日数を含む期間にかけて蒸発するので、所望によりコントローラにファンをより頻繁に運転させることが望ましい場合がある。例えば、非限定的な一例では、最初の１０日間の使用では１０％デューティサイクルでファンを実行し、１１日目から最高６０日目にかけて最高約３０％〜約４０％のデューティサイクルまで徐々に増していくことができる。このようにすると、ファン頻度又は持続期間を増すことによって芳香剤の強度の潜在的減少を補正することができる。その老朽化に合わせて調整することによって、芳香剤の量及び高い蒸気圧成分から低い蒸気圧成分までの混合物が時間と共に変化しても、より一貫した香気の強度を送達することが可能である。固形組成物のランタイムを追跡記録する手段の非限定的な一例は、送達エンジン５０と関連付けられた畜電池の電圧をモニタリングすることである。例えば、新しいＡＡ蓄電池は１．６０ボルト〜約１．６５ボルトであり得るが、３０日使用したＡＡ蓄電池は約１．２ボルト〜約１．４５ボルトの電圧を有する可能性がある。畜電池の電圧をモニタリングすることによって、コントローラは固形組成物の寿命を認識し、固形組成物の寿命にかけて一貫した香気体験を与えるように運転条件を調整することができる。
【００９５】
時間をモニタリングする手段の別の非限定的な例は、パウチ又はスクリーンの形態で固形組成物が挿入されたときにタイマーを開始し、ファンが運転した時間／分を追跡記録することである。上述のように、より一貫した香気体験を与えるために、製品が老朽化するにつれてファンタイムを調整することができる。
【００９６】
固形組成物の全寿命の指標として蓄電池の電圧又はランタイムを見る場合、固形組成物を交換する必要があることを示すために赤色光を点灯させる、又は点滅光を提供するなどの信号をユーザに提供するようにコントローラをプログラムすることができる。
【００９７】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【００９８】
本明細書全体を通して記載される全ての最大数値限定は、それよりも低い全ての数値限定を、かかるより低い数値限定があたかも本明細書に明確に記載されているかのように包含することを理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００９９】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１００】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020508791.tif 000003
【図２】
2020508791.tif 000004
【図３】
2020508791.tif 000005
【図４】
2020508791.tif 000006
【図５】
2020508791.tif 000007
【図６】
2020508791.tif 000008
【図７】
2020508791.tif 000009
【図８】
2020508791.tif 000010
【図９】
2020508791.tif 000011
【図１０】
2020508791.tif 000012
【図１１】
2020508791.tif 000013
【図１２】
2020508791.tif 000014
【国際調査報告】
2020508791.tif 000015
2020508791.tif 000016